(57)【要約】【課題】柔らかいイメージ・優しいイメージを持つと共に、携帯や使い捨てに便利なワインオープナーを提供する。【解決手段】ハンドル１とスクリュー部３とを含むワインオープナーにおいて、該ワインオープナーを複数の部品から組立分解可能に構成すると共に、全ての部品をプラスチックから形成した。【選択図】図１
2006008134.tif 000002
【特許請求の範囲】
【請求項１】
ハンドルとスクリュー部とを含むワインオープナーにおいて、該ワインオープナーを複数の部品から組立分解可能に構成すると共に、全ての部品をプラスチックから形成したことを特徴とするワインオープナー。
【請求項２】
請求項１において、該ワインオープナーは、ハンドルを構成する上半部及び下半部と、先端側にスクリュー部を有するスクリュー体とから組立分解可能に構成されており、該上半部と該下半部とは互いに係脱自在に構成されており、該下半部には、該スクリュー体の基端側に形成した連結部を受け入れる受入部が形成されており、該スクリュー体は該連結部を介して回転が規制された状態でハンドルに装着されることを特徴とするワインオープナー。
【請求項３】
請求項２において、該スクリュー体の連結部の周面には係止突起が突成されており、該下半部の受入部は、該スクリュー体の連結部を挿通させる挿通孔と、該挿通孔の壁面を形成する対向状の円弧状片と、該円弧状片の周方向端縁間に形成されたスリットとを有し、該上半部には、該スクリュー体の連結部を挿通させる挿通孔と、該挿通孔の壁面を形成する対向状の円弧状片と、該円弧状片の周方向端縁間に形成されたスリットとを有し、該スクリュー体の連結部の係止突起を該上半部のスリットに係止させた状態で、該上半部と該下半部とを一体化することで、該スクリュー体の回転が規制されることを特徴とするワインオープナー。
【請求項４】
請求項１乃至３いずれかいにおいて、該プラスチックは、生分解性プラスチックであることを特徴とするワインオープナー。
【発明の詳細な説明】
【技術分野】
【０００１】
本発明は、ワインオープナーに関するものである。
【背景技術】
【０００２】
従来のワインオープナーは、金属製のスクリュー部を備えているが、金属は、硬い、冷たい、尖ったといったイメージがあり、もう少し柔らかいイメージ・優しいイメージを持つワインオープナーが要望されていた。
【０００３】
また、昨今、我が国においても、ワインを嗜む機会が増え、ワインボトルを購入して屋外等でワインを飲むようなこともある。そのような場合、ワインオープナーを持ち合わせていないことが多い。ワインボトルは、その殆どが、コルク栓で封止されていることから、ワインオープナーが無いと、コルク栓を抜き取ることができない。したがって、携帯式や使い捨てのワインオープナーがあれば便利である。
【発明の開示】
【発明が解決しようとする課題】
【０００４】
本発明は、柔らかいイメージ・優しいイメージを持つと共に、携帯や使い捨てに便利なワインオープナーを提供することを目的とするものである。
【課題を解決するための手段】
【０００５】
かかる課題を解決するために本発明が採用した技術手段は、ハンドルとスクリュー部とを含むワインオープナーにおいて、該ワインオープナーを複数の部品から組立分解可能に構成すると共に、全ての部品をプラスチックから形成したことを特徴とするものである。好ましくは、該プラスチックは、生分解性プラスチックである。
【０００６】
好ましい態様では、該ワインオープナーは、ハンドルを構成する上半部及び下半部と、先端側にスクリュー部を有するスクリュー体とから組立分解可能に構成されており、該上半部と該下半部とは互いに係脱自在に構成されており、該下半部には、該スクリュー体の基端側に形成した連結部を受け入れる受入部が形成されており、該スクリュー体は該連結部を介して回転が規制された状態でハンドルに装着される。
【０００７】
さらに好ましくは、該スクリュー体の連結部の周面には係止突起が突成されており、該下半部の受入部は、該スクリュー体の連結部を挿通させる挿通孔と、挿通孔の壁面を形成する対向状の円弧状片と、該円弧状片の周方向端縁間に形成されたスリットとを有し、該上半部には、該スクリュー体の連結部を挿通させる挿通孔と、挿通孔の壁面を形成する対向状の円弧状片と、該円弧状片の周方向端縁間に形成されたスリットとを有し、該スクリュー体の連結部の係止突起を該上半部のスリットに係止させた状態で、該上半部と該下半部とを一体化することで、該スクリュー体の回転が規制される。
【発明の効果】
【０００８】
ワインオープナー全体をスクリュー部も含み、プラスチックで形成したので、金属製のワインオープナーに比べて、全体として柔らかい印象、優しい印象を使用者に与えることができる。さらに、生分解性プラスチックから形成したものでは、ワインオープナーを使い捨てとしても、環境に優しい。
【０００９】
ワインオープナーを複数部品から組立分解自在としたので、部品毎に分解することで持ち運び時等において省スペース化を図ることができる。また、プラモデルのように、使用時にワインオープナーを組立てる楽しみもある。
【発明を実施するための最良の形態】
【００１０】
図１は、本発明に係るワインオープナーを示し、ワインオープナーは、横長状のハンドル１とハンドル１の下面よりハンドルの長さ方向に直交する方向に延出するスクリュー体２とを有する。ハンドル１、スクリュー体２は共にプラスチックから形成されている。一つの好ましい態様では、ハンドル１、スクリュー体２は共に生分解性プラスチックから形成される。
【００１１】
スクリュー体２は、先端側のスクリュー部３と、スクリュー部３の基端側に一体形成された円柱部４と、円柱部４の基端側に一体形成された連結部５とを有し、連結部５は、円柱部４より大径の円柱体５０と、円柱体５０の下端の外周縁に形成した突縁部５１と、円柱体５０の上端の外周縁に対向状に形成した一対の係止突起５２とを有する。
【００１２】
ハンドル１は、それぞれ舟底状の形状をした上半部６と下半部７とから構成されている。上半部６と下半部７は互いに対向する周縁部６０，７０を有しており、上半部の周縁部６０には複数の係合片６１が形成され、下半部の周縁部７０には係合片に対応して係合受部７１が形成されている。上半部６と下半部７とは係合片６１及び係合受部７１を介して係脱自在となっている。
【００１３】
下半部７には、スクリュー体２の連結部５を受け入れる受入部が形成されている。受入部は、下半部７の下面部に貫設された挿通孔７２と、下半部７の下面に形成された凹部７３と、挿通孔７２の壁面を形成する一対の円弧状片７４とから構成されている。挿通孔７２は、連結部５の断面形状（円柱部５０および係止突起５２）に対応する形状を有している。対向する円弧状片７４間の空間が連結部５の円柱部５０を受け入れるようになっている。対向する円弧状片７４の周方向の端縁７４０間にはスリット７５が形成されており、スリット７５には連結部５の円柱部５０に設けた係止突起５２が受け入れられ、スリット７５に沿って上下方向に案内される。下半部７の下面に形成した凹部７３は、連結部５の突縁部５１に対応した形状となっている。円弧状片７４の高さは、連結部５の突縁部５１の上面から係止突起５２の下面までの寸法に対応しており、スクリュー体２の基端側の連結部５を下半体７の挿通孔７２に挿通させて、突縁部５１が凹部７３に当接した時には、連結部５の係止突起５２は、円弧状片７４の上端を越えて突出しており、この状態で、スクリュー体２は、連結部５の円柱部５０が対向状の円弧状片７４間に形成された空間内で回転することで、下半部７に対して回転自在である。
【００１４】
上半部６には、下半部７の円弧状片７４の配設に直交するように、対向状の円弧状片６２が形成されている。対向状の円弧状片６２の周方向端縁６２０間にはスリット６３が形成されている。すなわち、対向状の円弧状片６３の周方向端縁間に形成される連結部の係止突起を挿通させるスリットが、上半部６と下半部７とで９０度ずれている。
【００１５】
このように構成されたワインオープナーの組み立てについて説明する。先ず、スクリュー体２の基端側の連結部５を下半部７の挿通孔７２に挿通させる。この時、突縁部５１の上面が下半部７の下面に形成した凹部７３に当接するまで挿入する。そうすることで、連結部５の係止突起５２は、円弧状片７４の周方向端縁７４０間に形成されたスリット７５を通って円弧状片７４の上方側へ突出する。ここで、円弧状片７４間の空間に納まった連結部５の円柱部５０を円弧状片７４の内壁に沿って９０度回転させる。
【００１６】
そして、上半部６を、その円弧状片６２の周方向端縁６２０間のスリット６３に係止突起５２が納まるようにして、下半部７に被せ、係合片６１、係合孔７１を介して上半部６の周縁部６０と下半部７の周縁部７０とを密着せて一体化させる。この状態で、スクリュー部２の回転は、連結部５の係止突起５２が上半部６の円弧状片６２の周方向端縁間のスリット６３に当接することによって規制される。したがって、スクリュー部２はハンドル１に対して固定されており、スクリュー部２の先端をワインボトルのコルク栓に食い込ませ、ハンドル１を持って捩じることで、スクリュー部２をコルク栓に捩じ込むことができる。
【図面の簡単な説明】
【００１７】
【図１】本発明に係るワインオープナーの全体図である。
【図２】スクリュー部を示す図である。
【図３】ハンドルを構成する下半部を示す図である。
【図４】ハンドルを構成する上半部を示す図である。
【符号の説明】
【００１８】
１  ハンドル
２  スクリュー体
３  スクリュー部
４  円柱部
５  連結部
５０  円柱体
５１  突縁部
５２  係止突起
６  上半部
６０  周縁部
６１  係合片
６２  円弧状片
６２０  周方向端縁
６３  スリット
７  下半部
７０  周縁部
７１  係合受部
７２  挿通孔
７３  凹部
７４  円弧状片
７４０  周方向端縁
７５  スリット
【図１】
2006008134.tif 000003
【図２】
2006008134.tif 000004
【図３】
2006008134.tif 000005
【図４】
2006008134.tif 000006